【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  配信オブジェクトと、上記配信オブジェクトと多重化されて配信された、上記配信オブジェクトの映像中のセグメント化された映像に対する識別情報を含むインデックスとを受信する受信手段と、
上記配信オブジェクトの少なくとも映像を再生する再生手段と、
電子的メッセージ送信手段とを備え、
上記配信オブジェクトに対する付加情報と、上記付加情報と参照される配信オブジェクトの映像中のセグメント化された映像に対する識別情報を含むインデックスとを、上記電子的メッセージ送信手段によって、放送局装置に対して送信する視聴者端末と、
上記配信オブジェクトと、上記配信オブジェクトの映像中のセグメント化された映像に対する識別情報を含むインデックスとを多重化して配信する配信手段と、
上記視聴者端末が送信した電子的メッセージを受信する受信手段とを有し、
上記電子的メッセージを受信したときは、上記配信オブジェクトと、上記電子的メッセージ内の識別情報と付加情報の双方を含むインデックスとを多重化し、上記多重化した配信オブジェクトを配信する放送局装置と
からなることを特徴とする情報システム。
【請求項２】  配信オブジェクトと、上記配信オブジェクトと多重化されて配信された、上記配信オブジェクトの映像中のセグメント化された映像に対する識別情報を含むインデックスとを受信する受信手段と、
上記配信オブジェクトの少なくとも映像を再生する再生手段と、
電子的メッセージ送信手段とを備え、
上記配信オブジェクトに対する付加情報と、上記付加情報と参照される配信オブジェクトの映像中のセグメント化された映像に対する識別情報を含むインデックスとを、上記電子的メッセージ送信手段によって、放送局装置に対して送信することを特徴とする視聴者端末。
【請求項３】  配信オブジェクトと、上記配信オブジェクトの映像中のセグメント化された映像に対する識別情報を含むインデックスとを多重化して配信する配信手段と、
視聴者端末が送信した電子的メッセージを受信する受信手段とを有し、
上記電子的メッセージを受信したときは、上記配信オブジェクトと、上記電子的メッセージ内の識別情報と付加情報の双方を含むインデックスとを多重化し、上記多重化した配信オブジェクトを配信する放送局装置。
【請求項４】  請求項１または２において、
上記電子的メッセージ送信手段は、有線伝送路を介して付加情報を送信することを特徴とするシステムまたは端末装置。
【請求項５】  請求項１または２において、
上記配信オブジェクトを識別するインデックスは、電子的メッセージを送信する宛て先のアドレスを含み、
上記電子的メッセージ送信手段は、上記宛て先のアドレスに対して送信することを特徴とするシステムまたは端末装置。
【請求項６】  請求項５において、
上記識別情報および上記付加情報を含む電子的メッセージを受信した時に、上記識別情報と対応する映像を再生することを特徴とするシステムまたは端末装置。
【請求項７】  請求項１または２において、
ディジタル放送を介して受信したメッセージ中の識別情報に対応する映像を蓄積していない時に、放送局に対してその映像の配信を要求することを可能にしたことを特徴とするシステムまたは端末装置。
【請求項８】  請求項１または２において、
上記電子的メッセージ送信手段は、電子メールであることを特徴とするシステムまたは端末装置。
【請求項９】  請求項１、２または３において、
上記電子的メッセージにより送信される電子メッセージ中に、さらに、発信者の個人的情報を付加することを特徴とするシステム、端末装置または放送局装置。
【請求項１０】  請求項９において、
個人的情報を含む電子的メッセージを統計処理し、上記インデックスで識別されるオブジェクト単位でメッセージの投稿量の統計をとることを特徴とするシステム、端末装置または放送局装置。
【請求項１１】  配信オブジェクトと、上記配信オブジェクトの映像中のセグメント化された映像に対する識別情報を含むインデックスとを多重化して配信する配信ステップと、
上記配信ステップにより配信された上記配信オブジェクトと上記インデックスとを受信する第１の受信ステップと、
上記第１の受信ステップにより受信された上記配信オブジェクトの少なくとも映像を再生する再生ステップと、
上記第１の受信ステップにより受信された上記配信オブジェクトに対する付加情報と、上記付加情報と参照される配信オブジェクトの映像中のセグメント化された映像に対する識別情報を含むインデックスとを、電子的メッセージ送信手段によって、放送局装置に対して送信する送信ステップと、
上記送信ステップにより送信された電子的メッセージを受信する第２の受信ステップとを有し、
上記第２の受信ステップにより上記電子的メッセージを受信したときは、上記配信オブジェクトと、上記電子的メッセージ内の識別情報と付加情報の双方を含むインデックスとを多重化し、上記多重化した配信オブジェクトを配信する
ことを特徴とする情報伝送方法。
【請求項１２】  配信オブジェクトと、上記配信オブジェクトと多重化されて配信された、上記配信オブジェクトの映像中のセグメント化された映像に対する識別情報を含むインデックスとを受信する受信ステップと、
上記配信オブジェクトの少なくとも映像を再生する再生ステップと、
上記配信オブジェクトに対する付加情報と、上記付加情報と参照される配信オブジェクトの映像中のセグメント化された映像に対する識別情報を含むインデックスとを、電子的メッセージ送信手段によって、放送局装置に対して送信する送信ステップと
を有することを特徴とする情報伝送方法。
【請求項１３】  配信オブジェクトと、上記配信オブジェクトの映像中のセグメント化された映像に対する識別情報を含むインデックスとを多重化して配信する配信ステップと、
視聴者端末が送信した電子的メッセージを受信する受信ステップとを有し、
上記受信ステップにより上記電子的メッセージを受信したときは、上記配信オブジェクトと、上記電子的メッセージ内の識別情報と付加情報の双方を含むインデックスとを多重化し、上記多重化した配信オブジェクトを配信する
ことを特徴とする情報伝送方法。
【手続補正２】
【補正対象書類名】明細書
【補正対象項目名】０００７
【補正方法】変更
【補正の内容】
【０００７】
【課題を解決するための手段】
以上の問題を解決するために、請求項１の発明は、配信オブジェクトと、配信オブジェクトと多重化されて配信された、配信オブジェクトの映像中のセグメント化された映像に対する識別情報を含むインデックスとを受信する受信手段と、
配信オブジェクトの少なくとも映像を再生する再生手段と、
電子的メッセージ送信手段とを備え、
配信オブジェクトに対する付加情報と、付加情報と参照される配信オブジェクトの映像中のセグメント化された映像に対する識別情報を含むインデックスとを、電子的メッセージ送信手段によって、放送局装置に対して送信する視聴者端末と、
配信オブジェクトと、配信オブジェクトの映像中のセグメント化された映像に対する識別情報を含むインデックスとを多重化して配信する配信手段と、
視聴者端末が送信した電子的メッセージを受信する受信手段とを有し、
電子的メッセージを受信したときは、配信オブジェクトと、電子的メッセージ内の識別情報と付加情報の双方を含むインデックスとを多重化し、多重化した配信オブジェクトを配信する放送局装置と
からなることを特徴とする情報システムである。
【手続補正３】
【補正対象書類名】明細書
【補正対象項目名】０００８
【補正方法】変更
【補正の内容】
【０００８】
請求項２の発明は、配信オブジェクトと、配信オブジェクトと多重化されて配信された、配信オブジェクトの映像中のセグメント化された映像に対する識別情報を含むインデックスとを受信する受信手段と、
配信オブジェクトの少なくとも映像を再生する再生手段と、
電子的メッセージ送信手段とを備え、
配信オブジェクトに対する付加情報と、付加情報と参照される配信オブジェクトの映像中のセグメント化された映像に対する識別情報を含むインデックスとを、電子的メッセージ送信手段によって、放送局装置に対して送信することを特徴とする視聴者端末である。
【手続補正４】
【補正対象書類名】明細書
【補正対象項目名】０００９
【補正方法】変更
【補正の内容】
【０００９】
請求項３の発明は、配信オブジェクトと、配信オブジェクトの映像中のセグメント化された映像に対する識別情報を含むインデックスとを多重化して配信する配信手段と、
視聴者端末が送信した電子的メッセージを受信する受信手段とを有し、
電子的メッセージを受信したときは、配信オブジェクトと、電子的メッセージ内の識別情報と付加情報の双方を含むインデックスとを多重化し、多重化した配信オブジェクトを配信する放送局装置である。
【手続補正５】
【補正対象書類名】明細書
【補正対象項目名】００１０
【補正方法】変更
【補正の内容】
【００１０】
請求項１１の発明は、配信オブジェクトと、配信オブジェクトの映像中のセグメント化された映像に対する識別情報を含むインデックスとを多重化して配信する配信ステップと、
配信ステップにより配信された配信オブジェクトとインデックスとを受信する第１の受信ステップと、
第１の受信ステップにより受信された配信オブジェクトの少なくとも映像を再生する再生ステップと、
第１の受信ステップにより受信された配信オブジェクトに対する付加情報と、付加情報と参照される配信オブジェクトの映像中のセグメント化された映像に対する識別情報を含むインデックスとを、電子的メッセージ送信手段によって、放送局装置に対して送信する送信ステップと、
送信ステップにより送信された電子的メッセージを受信する第２の受信ステップとを有し、
第２の受信ステップにより電子的メッセージを受信したときは、配信オブジェクトと、電子的メッセージ内の識別情報と付加情報の双方を含むインデックスとを多重化し、多重化した配信オブジェクトを配信する
ことを特徴とする情報伝送方法である。
【手続補正６】
【補正対象書類名】明細書
【補正対象項目名】００１１
【補正方法】変更
【補正の内容】
【００１１】
請求項１２の発明は、配信オブジェクトと、配信オブジェクトと多重化されて配信された、配信オブジェクトの映像中のセグメント化された映像に対する識別情報を含むインデックスとを受信する受信ステップと、
配信オブジェクトの少なくとも映像を再生する再生ステップと、
配信オブジェクトに対する付加情報と、付加情報と参照される配信オブジェクトの映像中のセグメント化された映像に対する識別情報を含むインデックスとを、電子的メッセージ送信手段によって、放送局装置に対して送信する送信ステップと
を有することを特徴とする情報伝送方法である。
【手続補正７】
【補正対象書類名】明細書
【補正対象項目名】００１２
【補正方法】変更
【補正の内容】
【００１２】
請求項１３の発明は、配信オブジェクトと、配信オブジェクトの映像中のセグメント化された映像に対する識別情報を含むインデックスとを多重化して配信する配信ステップと、
視聴者端末が送信した電子的メッセージを受信する受信ステップとを有し、
受信ステップにより電子的メッセージを受信したときは、配信オブジェクトと、電子的メッセージ内の識別情報と付加情報の双方を含むインデックスとを多重化し、多重化した配信オブジェクトを配信する
ことを特徴とする情報伝送方法である。